(57)【特許請求の範囲】
【請求項１】
ヘッドボックスからスクリーンを吊下支持し、前記スクリーンには開閉片を上下方向に複数段吊下支持し、該開閉片を角度調節することによりスクリーンを透過する光量を調節可能としたブラインドにおいて、
前記ヘッドボックスには、上段の開閉片を角度調節する第一の角度調節装置と、下段の開閉片を角度調節する第二の角度調節装置とを設け、前記各角度調節装置を操作することにより、上段の開閉片と下段の開閉片とを独立して角度調節可能とし、
前記第一の角度調節装置を、上段の開閉片の前端縁を支持する第一のチルトコードと、該第一のチルトコードを昇降する第一の昇降装置とで構成し、前記第二の角度調節装置を、下段の開閉片の前端縁を支持する第二のチルトコードと、該第二のチルトコードを昇降する第二の昇降装置とで構成し、
前記スクリーンの生地を織目が緻密な密織部と織目が粗い粗織部とを交互に形成し、前記密織部を二つ折りに折り曲げて開閉片を形成するとともに、前記粗織部に前記開閉片の後端縁を吊下支持したことを特徴とするブラインド。
【請求項２】
前記開閉片は、密織部が二つ折りに折り曲げられて形成された袋状部に芯材が挿入されて形成されていることを特徴とする請求項１記載のブラインド。
【請求項３】
前記第一の昇降装置は、
前記ヘッドボックス内で前記第一のチルトコードが巻着される第一の角度調節軸と、
前記ヘッドボックスから回転可能に吊下支持される第一の操作棒と、
前記第一の操作棒の回転操作に基づいて、前記第一の角度調節軸を回転させるウォーム機構とで構成し、
前記第二の昇降装置は、
前記ヘッドボックス内で前記第二のチルトコードが巻着される第二の角度調節軸と、
前記ヘッドボックスから回転可能に吊下支持される第二の操作棒と、
前記第二の操作棒の回転操作に基づいて、前記第二の角度調節軸を回転させるウォーム機構とで構成したことを特徴とする請求項１又は２記載のブラインド。
【請求項４】
前記第一の昇降装置は、
前記第一のチルトコードを前記ヘッドボックス内からヘッドボックス外へ案内するとともに、該ヘッドボックスから垂下された第一のチルトコードの操作時は、該第一のチルトコードのヘッドボックスからの引き出し、あるいは前記開閉片の重量に基づくヘッドボックス内への引込みを可能とし、該第一のチルトコードの不操作時は該第一のチルトコードのヘッドボックス内への引込みを阻止するストッパ装置で構成し、
前記第二の昇降装置は、
前記ヘッドボックス内で前記第二のチルトコードが巻着される第二の角度調節軸と、
前記ヘッドボックスから回転可能に吊下支持される第二の操作棒と、
前記第二の操作棒の回転操作に基づいて、前記第二の角度調節軸を回転させるウォーム機構とで構成したことを特徴とする請求項１又は２記載のブラインド。
【請求項５】
前記第一及び第二の昇降装置は、
前記第一及び第二のチルトコードを前記ヘッドボックス内からヘッドボックス外へ案内するとともに、該ヘッドボックスから垂下された各チルトコードの操作時は、各チルトコードのヘッドボックスからの引き出し、あるいは前記開閉片の重量に基づくヘッドボックス内への引込みを可能とし、各チルトコードの不操作時は各チルトコードのヘッドボックス内への引込みを阻止するストッパ装置で構成したことを特徴とする請求項１又は２記載のブラインド。
【請求項６】
前記第二の昇降装置は、
前記ヘッドボックス内で前記第二のチルトコードが巻着される角度調節軸と、  前記ヘッドボックスから回転可能に吊下支持される操作棒と、
前記操作棒の回転操作に基づいて、前記角度調節軸を回転させるウォーム機構とで構成し、
前記第一の昇降装置は、
前記第一のチルトコードをヘッドボックス内から前記操作棒内を挿通して該操作棒の下方へ案内するとともに、該操作棒から垂下された第一のチルトコードの操作時は、該第一のチルトコードのヘッドボックスからの引き出し、あるいは前記開閉片の重量に基づくヘッドボックス内への引込みを可能とし、該第一のチルトコードの不操作時は該第一のチルトコードのヘッドボックス内への引込みを阻止するストッパ装置を前記操作棒内に設けて構成したことを特徴とする請求項１又は２記載のブラインド。
【発明の詳細な説明】
【０００１】
【発明の属する技術分野】
この発明は、ヘッドボックスから垂下されるスクリーンに、複数の開閉片を上下方向に等間隔に形成して、スクリーンの昇降及び開閉片の角度調節により採光量の調節を行うブラインドに関するものである。
【０００２】
【従来の技術】
ブラインドの一種類として、例えばレース地で形成されたスクリーンがヘッドボックスから昇降可能に吊下支持され、そのスクリーンには遮光性を備えた開閉片が所定間隔毎に角度調節可能に設けられたものがある。
【０００３】
このようなブラインドでは、スクリーン昇降装置によりスクリーンを昇降したり、あるいは角度調節装置で開閉片を角度調節することにより、採光量の調節が可能となっている。
【０００４】
【発明が解決しようとする課題】
上記のようなブラインドでは、角度調節装置によりすべての開閉片が一括して同位相で角度調節される。
【０００５】
従って、例えば上段の開閉片を水平方向に開いて採光しながら、下段のスラットを垂直方向に閉じて目隠しとするというように使用することはできない。
この発明の目的は、ヘッドボックスから吊下支持したスクリーンに多数段の開閉片を角度調節可能に支持したブラインドにおいて、上段の開閉片と下段の開閉片とを独立して角度調節し得るブラインドを提供することにある。
【０００６】
【課題を解決するための手段】
請求項１では、ヘッドボックスからスクリーンを吊下支持し、前記スクリーンには開閉片を上下方向に複数段吊下支持し、該開閉片を角度調節することによりスクリーンを透過する光量を調節可能としたブラインドにおいて、前記ヘッドボックスには、上段の開閉片を角度調節する第一の角度調節装置と、下段の開閉片を角度調節する第二の角度調節装置とを設け、前記各角度調節装置を操作することにより、上段の開閉片と下段の開閉片とを独立して角度調節可能とし、前記第一の角度調節装置を、上段の開閉片の前端縁を支持する第一のチルトコードと、該第一のチルトコードを昇降する第一の昇降装置とで構成し、前記第二の角度調節装置を、下段の開閉片の前端縁を支持する第二のチルトコードと、該第二のチルトコードを昇降する第二の昇降装置とで構成し、前記スクリーンの生地を織目が緻密な密織部と織目が粗い粗織部とを交互に形成し、前記密織部を二つ折りに折り曲げて開閉片を形成するとともに、前記粗織部に前記開閉片の後端縁を吊下支持した。
【０００７】
請求項２では、前記開閉片は、密織部が二つ折りに折り曲げられて形成された袋状部に芯材が挿入されて形成されている。
【０００８】
請求項３では、前記第一の昇降装置は、前記ヘッドボックス内で前記第一のチルトコードが巻着される第一の角度調節軸と、前記ヘッドボックスから回転可能に吊下支持される第一の操作棒と、前記第一の操作棒の回転操作に基づいて、前記第一の角度調節軸を回転させるウォーム機構とで構成し、前記第二の昇降装置は、前記ヘッドボックス内で前記第二のチルトコードが巻着される第二の角度調節軸と、前記ヘッドボックスから回転可能に吊下支持される第二の操作棒と、前記第二の操作棒の回転操作に基づいて、前記第二の角度調節軸を回転させるウォーム機構とで構成した。
【０００９】
請求項４では、前記第一の昇降装置は、前記第一のチルトコードを前記ヘッドボックス内からヘッドボックス外へ案内するとともに、該ヘッドボックスから垂下された第一のチルトコードの操作時は、該第一のチルトコードのヘッドボックスからの引き出し、あるいは前記開閉片の重量に基づくヘッドボックス内への引込みを可能とし、該第一のチルトコードの不操作時は該第一のチルトコードのヘッドボックス内への引込みを阻止するストッパ装置で構成し、前記第二の昇降装置は、前記ヘッドボックス内で前記第二のチルトコードが巻着される第二の角度調節軸と、前記ヘッドボックスから回転可能に吊下支持される第二の操作棒と、前記第二の操作棒の回転操作に基づいて、前記第二の角度調節軸を回転させるウォーム機構とで構成した。
【００１０】
請求項５では、前記第一及び第二の昇降装置は、前記第一及び第二のチルトコードを前記ヘッドボックス内からヘッドボックス外へ案内するとともに、該ヘッドボックスから垂下された各チルトコードの操作時は、各チルトコードのヘッドボックスからの引き出し、あるいは前記開閉片の重量に基づくヘッドボックス内への引込みを可能とし、各チルトコードの不操作時は各チルトコードのヘッドボックス内への引込みを阻止するストッパ装置で構成した。
【００１１】
請求項６では、前記第二の昇降装置は、前記ヘッドボックス内で前記第二のチルトコードが巻着される角度調節軸と、前記ヘッドボックスから回転可能に吊下支持される操作棒と、前記操作棒の回転操作に基づいて、前記角度調節軸を回転させるウォーム機構とで構成し、前記第一の昇降装置は、前記第一のチルトコードをヘッドボックス内から前記操作棒内を挿通して該操作棒の下方へ案内するとともに、該操作棒から垂下された第一のチルトコードの操作時は、該第一のチルトコードのヘッドボックスからの引き出し、あるいは前記開閉片の重量に基づくヘッドボックス内への引込みを可能とし、該第一のチルトコードの不操作時は該第一のチルトコードのヘッドボックス内への引込みを阻止するストッパ装置を前記操作棒内に設けて構成した。
【００１２】
【発明の実施の形態】
（第一の実施の形態）
以下、この発明を具体化した第一の実施の形態を図１〜図３に従って説明する。
【００１３】
図１に示すブラインドは、ヘッドボックス１の後側面から織布で構成されたスクリーン２が吊下支持され、そのスクリーン２には多数の開閉片３ａ，３ｂが一定間隔毎に形成されている。
【００１４】
前記スクリーン２の生地は、織目が緻密な密織部と、織目が粗い粗織部とが交互に形成されている。そして、その密織部が二つ折りに折り曲げられて袋状部が形成され、その袋状部に芯材が挿入されて、前記開閉片３ａ，３ｂが形成されている。
【００１５】
従って、各開閉片３ａ，３ｂは十分な遮光性を備え、各開閉片３ａ，３ｂ間のスクリーン２は光を透過可能となっている。
前記スクリーン２の下端にはボトムレール４が吊下支持されるとともに、そのヘッドボックス１から吊下支持される昇降コード（図示しない）の下端がボトムレール４に取着されている。
【００１６】
前記ヘッドボックス１の一側から昇降用操作コード５が垂下され、その昇降用操作コード５の操作により昇降コードをヘッドボックス１内で巻き取りあるいは巻戻し可能となっている。
【００１７】
従って、昇降用操作コード５の操作により昇降コードが引上げられると、ボトムレール４が引上げられて、スクリーン２及び開閉片３ａ，３ｂが引上げられ、昇降コードが巻戻されると、ボトムレール４が下降して、スクリーン２及び開閉片３ａ，３ｂが下降するようになっている。
【００１８】
図２に示すように、前記ヘッドボックス１の直下に位置する２段の開閉片３ａは、その長手方向両端部においてその前端縁が第一のチルトコード６に取着され、その第一のチルトコード６の上端部は、図３に示すように、前記ヘッドボックス１内で回転可能に支持される第一の角度調節軸７に巻着されている。
【００１９】
また、３段目から下方に位置する開閉片３ｂは、その長手方向両端部においてその前端縁が第二のチルトコード８に取着され、その第二のチルトコード８の上端部は前記ヘッドボックス１内で回転可能に支持される第二の角度調節軸９に巻着されている。
【００２０】
前記ヘッドボックス１の他端部には、第一及び第二の操作棒１０，１１が吊下支持されている。図３に示すように、前記第一の操作棒１０はヘッドボックス１に回転可能に支持された第一のウォームギア１２の先端部に吊下支持され、前記第二の操作棒１１はヘッドボックス１に回転可能に支持された第二のウォームギア１３の先端部に吊下支持されている。
【００２１】
前記第一のウォームギア１２は、前記第一の角度調節軸７に嵌着されたウォームホィール１４に噛合され、前記第二のウォームギア１３は、前記第二の角度調節軸９に嵌着されたウォームホィール１５に噛合されている。
【００２２】
従って、第一の操作棒１０を回転操作すると、第一の角度調節軸７が回転されて、第一のチルトコード６が昇降される。また、第二の操作棒１１を回転操作すると、第二の角度調節軸９が回転されて、第二のチルトコード８が昇降される。
【００２３】
上記のように構成されたブラインドでは、昇降用操作コード５をボトムレール４の引上げ方向に操作すると、ボトムレール４が引上げられて、スクリーン２及び開閉片３ａ，３ｂが引上げられる。
【００２４】
また、昇降用操作コード５をボトムレール４の下降方向に操作すると、ボトムレール４が下降して、スクリーン２及び開閉片３ａ，３ｂが下降する。
第一の操作棒１０を一方へ回転操作すると、第一のチルトコード６が引上げられて、上から２段目までの開閉片３ａが上方へ回動し、他方へ回転操作すると、第一のチルトコード６が下降して、開閉片３ａが下方へ回動する。
【００２５】
第二の操作棒１１を一方へ回転操作すると、第二のチルトコード８が引上げられて、３段目以下の開閉片３ｂが上方へ回動し、他方へ回転操作すると、第二のチルトコード８が下降して、３段目以下の開閉片３ｂが下方へ回動する。
【００２６】
上記のようなブラインドでは、次に示す作用効果を得ることができる。
（１）昇降用操作コード５を操作してスクリーン２を昇降することにより、採光量の調節を行うことができる。
【００２７】
（２）スクリーン２を最下限まで下降させた状態で、開閉片３ａ，３ｂを水平方向に角度調節すれば、スクリーン２を介して柔らかな光を採り入れることができる。
【００２８】
（３）スクリーン２を最下限まで下降させた状態で、開閉片３ａ，３ｂの角度を調節することにより、採光量をさらに細かく調節することができる。
（４）第一及び第二の操作棒１０，１１を操作することにより、上から２段目までの開閉片３ａの角度と、３段目以下の開閉片３ｂの角度とを独立して調節することができる。
【００２９】
（５）開閉片３ａを水平方向とし、開閉片３ｂを垂直方向とすれば、このブラインドの上部から採光し、下部は目隠しとすることができる。
（第二の実施の形態）
図４及び図５は、第二の実施の形態を示す。この実施の形態は、前記第一のチルトコード６がヘッドボックス１内からストッパ装置１６を経てヘッドボックス１下方へ垂下され、その下端にはコードイコライザ１７を介してチルト用操作コード１８が接続されている。
【００３０】
従って、前記ヘッドボックス１内には第二の角度調節軸９のみが配設され、その他の構成は、前記第一の実施の形態と同様である。
前記ストッパ装置１６は、通常の横型ブラインドで使用される公知のストッパ装置と同様の構成を備えたものであり、チルト用操作コード１８の不操作時に、開閉片３ａの重量に基づく第一のチルトコード６のヘッドボックス１内への引き込みを阻止して、開閉片３ａを所望の角度に保持するように動作する。
【００３１】
このようなブラインドでは、チルト用操作コード１８を操作して第一のチルトコード６をヘッドボックス１から引き出し、あるいは開閉片３ａの重量に基づいて第一のチルトコード６をヘッドボックス１内に引き込ませることにより、開閉片３ａを回動操作可能であり、第二の操作棒１１を操作することにより、開閉片３ｂを回動操作可能である。
【００３２】
従って、この実施の形態では前記第一の実施の形態と同様な作用効果を得ることができる。
（第三の実施の形態）
図６及び図７は、第三の実施の形態を示す。この実施の形態は、前記第一及び第二のチルトコード６，８がヘッドボックス１内からストッパ装置１９ａ，１９ｂを経てヘッドボックス１下方へ垂下され、その下端にはコードイコライザ２０ａ，２０ｂを介してチルト用操作コード２１ａ，２１ｂが接続されている。
【００３３】
前記ストッパ装置１９ａ，１９ｂは、前記第二の実施の形態のストッパ装置１６と同様の構成を備えたものである。
このようなブラインドでは、チルト用操作コード２１ａを操作して第一のチルトコード６をヘッドボックス１から引き出し、あるいは開閉片３ａの重量に基づいて第一のチルトコード６をヘッドボックス１内に引き込ませることにより、開閉片３ａを回動操作可能である。
【００３４】
また、チルト用操作コード２１ｂを操作して第二のチルトコード８をヘッドボックス１から引き出し、あるいは開閉片３ｂの重量に基づいて第二のチルトコード８をヘッドボックス１内に引き込ませることにより、開閉片３ｂを回動操作可能である。
【００３５】
従って、この実施の形態では前記第一の実施の形態と同様な作用効果を得ることができる。
（第四の実施の形態）
図８及び図９は、第四の実施の形態を示す。この実施の形態は、ヘッドボックス１の一側から操作棒２２が垂下され、その操作棒２２を回転操作することにより、ヘッドボックス１内でウォームギア２３及びウォームホィール２４を介して角度調節軸２５が回転される。そして、角度調節軸２５の回転に基づいて、第二のチルトコード８が昇降される。
【００３６】
第一のチルトコード６は、ヘッドボックス１内から前記操作棒２２内に挿通され、その下端には操作棒２２の下方においてコードイコライザ２６が取着されている。
【００３７】
前記操作棒２２は、その握り部２７が軸部２８に沿ってスライド可能に形成され、操作棒２２内には、前記第二の実施の形態のストッパ装置１６と同様な機能を備えた公知のストッパ装置が内蔵されている。
【００３８】
このストッパ装置は、コードイコライザ２６を下方へ引けば、第一のチルトコード６をヘッドボックス１から自在に引き出し可能であり、コードイコライザ２６を手放せば、開閉片３ａの重量に基づく第一のチルトコード６の操作棒２２からヘッドボックス１内への引込みを阻止して、開閉片３ａを所望位置に保持可能となっている。
【００３９】
また、操作棒２２の握り部２７を下方へ引けば、開閉片３ａの重量に基づいて第一のチルトコード６が操作棒２２内からヘッドボックス１内へ引込まれて、開閉片３ａが下方へ回動されるようになっている。
【００４０】
このようなブラインドでは、第一のチルトコード６を操作棒２２から引き出し、あるいは操作棒２２からヘッドボックス１内に引込ませることにより、開閉片３ａを回動させることができる。また、操作棒２２を回転操作することにより、開閉片３ｂを回動させることができる。
【００４１】
従って、この実施の形態では前記第一の実施の形態と同様な作用効果を得ることができる。
上記実施の形態は、次に示すように変更することもできる。
・開閉片３ａ，３ｂの段数は、任意の段数に変更可能である。
【００４２】
【発明の効果】
以上詳述したように、この発明はヘッドボックスから吊下支持したスクリーンに多数段の開閉片を角度調節可能に支持したブラインドにおいて、上段の開閉片と下段の開閉片とを独立して角度調節し得るブラインドを提供することができる。
【図面の簡単な説明】
【図１】  第一の実施の形態のブラインドを示す正面図である。
【図２】  第一の実施の形態の開閉片の角度調節装置を示す斜視図である。
【図３】  第一の実施の形態の開閉片の角度調節装置を示す平面図である。
【図４】  第二の実施の形態の開閉片の角度調節装置を示す斜視図である。
【図５】  第二の実施の形態の開閉片の角度調節装置を示す平面図である。
【図６】  第三の実施の形態の開閉片の角度調節装置を示す斜視図である。
【図７】  第三の実施の形態の開閉片の角度調節装置を示す平面図である。
【図８】  第四の実施の形態の開閉片の角度調節装置を示す斜視図である。
【図９】  第四の実施の形態の開閉片の角度調節装置を示す平面図である。
【符号の説明】
１          ヘッドボックス
２          スクリーン
３          開閉片
６          第一の角度調節装置（第一のチルトコード）
７          第一の角度調節装置（第一の角度調節軸）
８          第二の角度調節装置（第二のチルトコード）
９          第二の角度調節装置（第二の角度調節軸）
１０        第一の角度調節装置（第一の操作棒）
１１        第二の角度調節装置（第二の操作棒）
１２        第一の角度調節装置（第一のウォームギア）
１３        第二の角度調節装置（第二のウォームギア）
１４        第一の角度調節装置（ウォームホィール）
１５        第二の角度調節装置（ウォームホィール）
【図１】
0004302815.tif 000002
【図２】
0004302815.tif 000003
【図３】
0004302815.tif 000004
【図４】
0004302815.tif 000005
【図５】
0004302815.tif 000006
【図６】
0004302815.tif 000007
【図７】
0004302815.tif 000008
【図８】
0004302815.tif 000009
【図９】
0004302815.tif 000010